(57)【要約】【解決課題】  大地震の際の墓石の転倒防止装置を提供することである。【解決手段】  墓石（１）の上石（３）と竿石（４）との間の接合面に装着される免震システム（５）を有し、免震システム（５）は中央の免震フロート（７）と一体的な免震層（６）と、免震層（６）の周囲を取り囲む免震フレーム（８）と、更に免震フレーム（８）の周囲を取り囲む免震シール（９）とから構成されていることを特徴とする、墓石の転倒防止装置。【選択図】図３
2009041202.tif 000002
【特許請求の範囲】
【請求項１】
墓石（１）の上石（３）と竿石（４）との間の接合面に装着される免震層システム（５）を有し、免震層システム（５）は中央の免震フロート（７）と一体的な免震層（６）と、免震層（６）の周囲を取り囲む免震フレーム（８）と、更に免震フレーム（８）の周囲を取り囲む免震シール（９）とから構成されていることを特徴とする、墓石の転倒防止装置。
【請求項２】
免震層（６）の中央の免震フロート（７）がシリコーンＲＴＶから成りかつ免震フロート（７）以外の部分がシリコーンゲルから成ることを特徴とする、請求項１に記載の墓石の転倒防止装置。
【請求項３】
免震層（６）が、２つのシリコーンゲルを混合することによって形成される、２成分系のシリコーンゲルから成ることを特徴とする、請求項1又は２に記載の墓石の転倒防止装置。
【請求項４】
免震層（６）が少なくとも２つの層から成ることを特徴とする、請求項1から３までのうちのいずれか1つに記載の墓石の転倒防止装置。
【請求項５】
免震フレーム（８）が、シリコーンゴムから成ることを特徴とする、請求項1から４までのうちのいずれか1つに記載の墓石の転倒防止装置。
【請求項６】
免震シール（９）が、シリコーンゴムから成ることを特徴とする、請求項1から５までのうちのいずれか1つに記載の墓石の転倒防止装置。
【請求項７】
免震フロート（７）がシリコーンゴムから成り、かつ免震層（６）がシリコーンＲＴＶ及びシリコーンゲルから成ることを特徴とする請求項１に記載の墓石の転倒防止装置。
【発明の詳細な説明】
【技術分野】
【０００１】
本発明は、近年大地震によってたびたび起こる墓石の転倒に対して、免震補強により墓石の転倒・倒壊を防止するための墓石の転倒防止装置に関するものである。
【背景技術】
【０００２】
墓石の石材と石材の接合面をセメントやモルタルで接着する方法、ステンレス棒で繋ぐ方法、エポキ樹脂若しくは変形シリコーンで接着する方法及び粘弾性体で接着する方法等があるが、単にこれらの材質自体の改良、耐久性の改良や装置の施工に利便性のみを目的として装置を接着面に介在させるだけでは墓石の転倒防止は図れない。
【０００３】
地震の際の揺れの態様は多様であり、墓石の質量や免震条件も多様であるから、より一層震動態様を特定した免震層システムの改善が必要とされる。
【０００４】
一方、墓石の転倒防止についての特許出願もなされているが、施工コストの低廉性を図ることや、装置の耐久性の増加、石材相互の損傷を防止すること等を主目的として、石材と石材の間の接合面に粘弾性体を介在させるものに過ぎない。
【特許文献１】特開２００７−８５０４８号明細書
【発明の開示】
【発明が解決しようとする課題】
【０００５】
本発明の課題は、墓石の石材と石材の接合面に特別な構造の免震層システムを介在させて墓石の転倒を防止する装置を提供することを課題とする。
【課題を解決するための手段】
【０００６】
この課題は、予め墓石の質量を測定し、又は算出しておいて、補強しようとする石材の特性（質量によって固有振動数が変わる）に合わせて１基１基の墓石に応じて、石材の固有振動数と共振を生じないような構成によって積極的に揺れを吸収する免震層システムを作成して石材と石材の接合面に免震層システムを適合させ施工することによって解決される。
【発明の効果】
【０００７】
適正な免震層システムを石材と石材の接合面に施工して大地震等の災害の際に墓石の転倒を防止することができる。
【発明を実施するための最良の形態】
【０００８】
石材と石材との間に介在させる免震層システムを現場の石材の質量及び免震態様に応じて所要の寸法に形成して最適の免震効果を発揮させることができる。
【実施例】
【０００９】
本発明を実施例を、図中に表された実施例に基づいて以下に説明する。
【００１０】
図１は、本発明による免震層システム５が適用されるべき墓石１を示す正面図である。
一般的に墓石１は、図示しない土台石の上に搭載される基礎となる中石２と、その上に搭載される上石３と、更にその上に搭載される竿石４とから構成される。
【００１１】
地震の際に真っ先に転倒するのは、高さの高い竿石４であるので、本発明ではこれに着目し、上石３と竿石４との間の接合面に免震層システム５を設置するものである。
【００１２】
図１によれば、免震層システム５は、床面上に設置された墓石１においては、墓石１の正面図で見て中石３と竿石４との間の接合面に位置する。免震層システム５の縦断面は、図２及び３に示す縦断面図に表わされ、免震層システム５の横断面は、墓石１全体の横断面図で図４で表わすよう関係位置を占め、かつ部分拡大図で示す図５で表わされるような大きさで示される。
【００１３】
図３に示す免震層システム５の拡大図によれば、免震層システム５は、免震層システム５の全体を占める免震層６と、免震層６の中央部分に位置する免震フロート７と免震層６を取り囲む免震フレーム８と、更に免震フレーム８の外側を取り囲む免震シール９とから形成される。
【００１４】
免震層６は、墓石のために開発されたシリコーンゲルから成る。シリコーンゲルは一般には電子デバイスなどに利用されるものであるが、本発明では、特別の仕様で構成され、２成分系で、即ち、墓石の質量を予め測定し、設置条件を設定した上で、墓石に対応するように２つのかつ墓石の固有振動数等に適合した大きさ（大きさ、厚さ等の寸法）に現場で製作される揺れ吸収免震層である。
【００１５】
免震層６は二層のシリコーンゲルから成ることができる（図２）。免震層６の中央には、シリコーンＲＴＶから成る免震フロート７が免震層６と一体的設けられており、免震フロート７は高い粘弾性を有し、竿石４から伝わる震動を直接吸収し、震動振幅を減衰させることに役立つ。
【００１６】
シリコーンゲルは現場で混合されるが、施工前に作成されることによって雨天時でも石材と石材との間の接合面に施工することができる。
【００１７】
竿石４の揺れは免震層の粘着力で先ず受け止め、ついで免震フロート７の周囲の免震層６によって減衰される。竿石４の横揺れも免震層システム５によって吸収される
一方大きな震動の免震のために、免震層６自体がシリコーンＲＴＶから成り、免震フロート７がシリコーンゴムから成ることもできる。
【００１８】
図４から分かるように、免震フレーム８は、免震層６の周囲を取り囲み、竿石４を支持するために役立つ。
【００１９】
免震フレーム８はシリコーンゴムから成る。免震フレーム８の周囲を取り囲む免震シール９は、竿石４と上石３との間の接合面に風雨が入らないように免震層システム５を保護すると共に、免震シールも竿石４と上石３との間の接合面で竿石４の重量を支持しかつ免震フレーム８と同様に震動を減衰させる役目を有するので、免震フレーム８と同一の材質、即ち、シリコーン混和物から成る。
【００２０】
免震層６は現場で施工前に予め製造しておき、施工時に上石３を吊り上げる等により上石３と竿石４との接合面から引き離して、該接合面に装着される。
【００２１】
免震層６の周囲には竿石４の重量を支持する免震フレーム８とさらにその周囲に免震シール９が装着される。免震シール９は施工の最終段階で当該免震層５への防水、防塵の目的で施工される。
【産業上の利用可能性】
【００２２】
本発明による墓石の転倒防止装置は、地震国日本で頻発する大地震に備えて、墓石の転倒、倒壊を防止する免震装置として全国的規模で利用に供されることができる。
【図面の簡単な説明】
【００２３】
【図１】墓石の正面図である。
【図２】墓石の免震層システムを表わす縦面図である。
【図３】墓石の免震層システムの部分縦断面図である。
【図４】墓石の免震層システムの図１のＩＶ−ＩＶ線に沿う横断面図である。
【図５】墓石の免震層システムの図３のＶ−Ｖ線に沿う部分横断面図である。
【符号の説明】
【００２４】
１は免震層システム
２は中石
３は上石
４は竿石
５は免震層システム
６は免震層
７は免震フロート
８は免震フレーム
９は免震シール
【図１】
2009041202.tif 000003
【図２】
2009041202.tif 000004
【図３】
2009041202.tif 000005
【図４】
2009041202.tif 000006
【図５】
2009041202.tif 000007